(57)【要約】【課題】限られたスペースのなかで、可動役物に光を照射できるとともにその反射光を遊技者に認識させることができる遊技機を提供する。【解決手段】第１の位置と第２の位置との間を移動可能に設けられたシャッタ部材２０１，２０２，２０３，２０４と、シャッタ部材２０１，２０２，２０３，２０４に光を照射するＬＥＤ４０１，４０２，４０３，４０４と、を備え、各シャッタ部材２０１，２０２，２０３，２０４の裏面２０１ｂ〜２０４ｂの少なくとも一部には、装飾５００が施され、装飾５００は、ＬＥＤ４０１，４０２，４０３，４０４からの光を遊技機の前面側に向かって反射可能な凹凸５０１によって形成されている。【選択図】図２９
2020078730.tif 000002
【特許請求の範囲】
【請求項１】
第１の位置と第２の位置との間を移動可能に設けられた複数の役物と、
前記役物に光を照射する光源と、を備え、
前記役物は、第１の面を有し、かつ、前記第１の面の少なくとも一部に装飾が施され、
前記装飾は、前記光源からの光を遊技機の前面側に向かって反射可能な凹凸によって形成されている
ことを特徴とする遊技機。
【請求項２】
前記凹凸は、三角形状に形成され、前記光源からの光を反射可能な傾斜面を有し、
前記光源は、前記傾斜面に向けて第１の照射角度で光を照謝するように設けられている
ことを特徴とする請求項１に記載の遊技機。
【請求項３】
所定の演出領域を有する演出手段を備え、
前記役物は、前記演出手段よりも前記遊技機の前面側に設けられ、前記演出手段の演出領域を遮蔽可能であり、
前記役物の各々には、前記装飾の一部が設けられ、
全ての役物により前記演出領域が全て遮蔽されている場合に、前記装飾の全てが表示される
ことを特徴とする請求項１又は請求項２に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部とを備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、いわゆるパチスロと称される遊技機が知られている。
【０００３】
この種の遊技機として、リールに重畳するようにフロントドアに取付けられた画像表示手段としての液晶表示装置と、該液晶表示装置とリールとの間でそれぞれに重畳するように設けられた可動役物とを備え、液晶表示装置で表示される画像演出と連動して可動役物を可動させるようにした遊技機が知られている（例えば、特許文献１参照）。
【０００４】
このような遊技機によれば、液晶表示装置に重畳して可動する可動役物による演出表示に遊技者の注意を惹きつけることができる。
【先行技術文献】
【特許文献】
【０００５】
【特許文献１】特開２００９−２６１５９９号公報
【発明の概要】
【発明が解決しようとする課題】
【０００６】
しかしながら、特許文献１に記載の遊技機にあっては、可動役物を照らすような光源等は設けられていない。このため、例えば周囲の照明が暗い遊技場等では、可動役物に施された装飾を認識しづらく、可動役物が可動していることに対して注意を惹きつけるという効果を十分に発揮することができなかった。
【０００７】
また、上述したような不具合を解消するために、可動役物に遊技者側から光を照射して、その反射光を遊技者に視認させようとすると、可動役物よりもさらに遊技機の前面側に光源を設ける必要がある。ところが、スペースの限られたフロントドアでは、そうした光源を配置するスペースを確保することが困難であった。
【０００８】
本発明は、上述のような事情に鑑みてなされたもので、限られたスペースのなかで、可動役物に光を照射できるとともにその反射光を遊技者に認識させることができる遊技機を提供することを目的とする。
【課題を解決するための手段】
【０００９】
本発明に係る遊技機は、第１の位置と第２の位置との間を移動可能に設けられた複数の役物（シャッタ部材２０１，２０２，２０３，２０４）と、前記役物に光を照射する光源（ＬＥＤ４０１，４０２，４０３，４０４）と、を備え、前記役物は、第１の面を有し、かつ、前記第１の面の少なくとも一部に装飾（５００）が施され、前記装飾は、前記光源からの光を遊技機の前面側に向かって反射可能な凹凸（５０１）によって形成されている構成を有する。
【００１０】
この構成により、本発明に係る遊技機は、役物の凹凸が照射された光を遊技機の前面に向かって反射するように形成したので、光源から照射された光を確実に遊技機の前面側に向かって反射させることができる。また、本発明に係る遊技機は、限られたスペースのなかで、役物に光を照射できるとともに、その反射光を遊技者に認識させることができる。
【００１１】
なお、本発明に係る遊技機において、前記凹凸は、三角形状に形成され、前記光源からの光を反射可能な傾斜面（５０１ａ）を有し、前記光源は、前記傾斜面に向けて第１の照射角度で光を照謝するように設けられている構成としてもよい。
【００１２】
この構成により、本発明に係る遊技機は、光源が凹凸の傾斜面に向けて第１の照射角度で光を照射することにより、役物に施された装飾の輪郭がぼやけることなく、役物に施された装飾を際立たせることができる。
【００１３】
また、本発明に係る遊技機は、所定の演出領域を有する演出手段（液晶表示装置１１）を備え、前記役物は、前記演出手段よりも前記遊技機の前面側に設けられ、前記演出手段の演出領域を遮蔽可能であり、前記役物の各々には、前記装飾の一部が設けられ、全ての役物により前記演出領域が全て遮蔽されている場合に、前記装飾の全てが表示される構成としてもよい。
【００１４】
この構成により、本発明に係る遊技機は、演出領域を遊技者に見せなくとも、演出効果を高めることができる。
【発明の効果】
【００１５】
本発明によれば、限られたスペースのなかで、可動役物に光を照射できるとともにその反射光を遊技者に認識させることができる遊技機を提供することができる。
【図面の簡単な説明】
【００１６】
【図１】本発明の実施の形態に係るパチスロ機の機能フローを示す図である。
【図２】本発明の実施の形態に係るパチスロ機の外部構造を示す全体斜視図である。
【図３】本発明の実施の形態に係るパチスロ機の電気的構成を示すブロック図である。
【図４】本発明の実施の形態に係るパチスロ機の主制御回路の構成を示すブロック図である。
【図５】本発明の実施の形態に係るパチスロ機の副制御回路の構成を示すブロック図である。
【図６】本発明の実施の形態に係るパチスロ機のシャッタ装置の背面図である。
【図７】図６におけるＡ−Ａ断面図である。
【図８】本発明の実施の形態に係るパチスロ機のシャッタ装置の断面図であって、（ａ）は図６におけるＢ−Ｂ断面図であり、（ｂ）は一部拡大断面図である。
【図９】本発明の実施の形態に係るパチスロ機のシャッタ装置の背面図であって、シャッタ部材が２段目まで下降した状態を示す図である。
【図１０】図９におけるＣ−Ｃ断面図である。
【図１１】本発明の実施の形態に係るパチスロ機のシャッタ装置の背面図であって、シャッタ部材が３段目まで下降した状態を示す図である。
【図１２】図１１におけるＤ−Ｄ断面図である。
【図１３】本発明の実施の形態に係るパチスロ機のシャッタ装置の背面図であって、シャッタ部材が４段目まで全て下降した状態を示す図である。
【図１４】図１３におけるＥ−Ｅ断面図である。
【図１５】遮蔽位置にあるシャッタ部材の要部を示す図であって、（ａ）は側面図であり、（ｂ）は平面図である。
【図１６】露出位置にあるシャッタ部材の要部を示す図であって、（ａ）は側面図であり、（ｂ）は平面図である。
【図１７】本発明の実施の形態に係るパチスロ機のシャッタ装置のシャッタ部材を収容した状態を示す正面図である。
【図１８】図１７におけるＦ−Ｆ断面図である。
【図１９】本発明の実施の形態に係るシャッタ部材が遮蔽状態（表面）にあるときの正面図である。
【図２０】本発明の実施の形態に係るシャッタ部材が遮蔽状態（表面）にあるときの回転機構を示す側面図である。
【図２１】本発明の実施の形態に係るシャッタ部材の回転体と回転機構の係合部材との係合関係を示す斜視図である。
【図２２】本発明の実施の形態に係るシャッタ部材の回転体と回転機構の係合部材との係合関係を示す平面図である。
【図２３】本発明の実施の形態に係るシャッタ部材が半開状態にあるときの正面図である。
【図２４】本発明の実施の形態に係るシャッタ部材が半開状態にあるときの回転機構を示す側面図である。
【図２５】本発明の実施の形態に係るシャッタ部材が遮蔽状態（背面）にあるときの正面図である。
【図２６】本発明の実施の形態に係るシャッタ部材が遮蔽状態（背面）にあるときのシャッタ回転機構を示す側面図である。
【図２７】本発明の実施の形態に係るシャッタ部材の断面図であって、シャッタ部材の上昇時を示す図である。
【図２８】本発明の実施の形態に係るシャッタ装置の斜視図である。
【図２９】本発明の実施の形態に係るシャッタ装置の一部拡大斜視図である。
【図３０】本発明の実施の形態に係るシャッタ部材の凹凸の概略を示す断面図である。
【発明を実施するための形態】
【００１７】
本発明の一実施の形態を示す遊技機であるパチスロ機について、図１〜図３０を参照しながら説明する。はじめに、図１を参照して、遊技機の実施の形態に係る機能フローについて説明する。
【００１８】
本実施の形態のパチスロ機では、遊技を行うための遊技媒体としてメダルを用いる。なお、遊技媒体としては、メダル以外にも、コイン、遊技球、遊技用のポイントデータ又はトークン等を適用することもできる。
【００１９】
遊技者によりメダルが投入され、スタートレバーが操作されると、予め定められた数値の範囲（例えば、０〜６５５３５）の乱数から１つの値（以下、乱数値）が抽出される。
【００２０】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２２】
パチスロ機では、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定時間が１９０ｍｓｅｃである場合には、滑り駒数の最大数を図柄４コマ分に定め、規定時間が７５ｍｓｅｃである場合には、滑り駒数の最大数を図柄１コマ分に定める。
【００２３】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２４】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロ機では、以上のような一連の流れが１回の遊技として行われる。
【００２５】
また、パチスロ機では、前述した一連の流れの中で、液晶表示装置などの画像表示装置により行う映像の表示、各種ランプにより行う光の出力、スピーカにより行う音の出力、シャッタ装置によるシャッタの駆動、あるいはこれらの組合せを利用して様々な演出が行われる。
【００２６】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２７】
演出内容が決定されると、演出実行手段は、リールの回転開始時、各リールの回転停止時、入賞の有無の判定時等の各契機に連動させて対応する演出を実行する。このように、パチスロ機では、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２８】
＜パチスロ機の構造＞
次に、図２を参照して、本実施形態におけるパチスロ機の外観構造について説明する。
【００２９】
［外観構造］
図２は、パチスロ機１の外部構造を示す斜視図である。
【００３０】
図２に示すように、パチスロ機１は、外装体２を備えている。外装体２は、リールや回路基板等を収容する筐体としてのキャビネット２ａと、キャビネット２ａに対して開閉自在に取付けられたフロントドア２ｂとを有している。キャビネット２ａの両側面には、把手２ｃが設けられている（図２では一側面の把手２ｃのみを示す）。この把手２ｃは、パチスロ機１を運搬するときに手をかける凹部である。
【００３１】
キャビネット２ａの内部には、複数（例えば２１個）の図柄が周方向に沿って所定の間隔をあけて表示された複数（本実施の形態では３つ）のリール３Ｌ，３Ｃ，３Ｒ（図３参照）が収容されている。
【００３２】
以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。上述の複数（例えば２１個）の図柄は、前述のシート材の表面に描かれている。
【００３３】
フロントドア２ｂは、ドア本体９と、画像を表示する画像表示手段としての液晶表示装置１１とを備えている。ドア本体９は、ヒンジ（不図示）を用いてキャビネット２ａに開閉自在に取り付けられている。ヒンジは、パチスロ機１の前方からドア本体９を見た場合に、ドア本体９における左側の端部に設けられている。
【００３４】
液晶表示装置１１は、例えば、遊技上の演出に係る画像や遊技に関する情報を表示するようフロントドア２ｂのドア本体９の上部に取り付けられている。液晶表示装置１１は、映像の表示による演出を実行する他、例えば遊技機のカスタマイズや遊技履歴等の遊技台情報を表示することができる。
【００３５】
また、フロントドア２ｂは、３つのリール３Ｌ，３Ｃ，３Ｒを視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【００３６】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。
【００３７】
本実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、本実施形態では、左リール３Ｌの中段領域、中リール３Ｃの中段領域、及び、右リール３Ｒの中段領域を結ぶラインを、入賞か否かの判定を行う入賞判定ラインとして定義する。
【００３８】
また、上述したリール３Ｌ，３Ｃ，３Ｒ及び液晶表示装置１１の前面側には、保護ガラス６が配設されている。これにより、リール３Ｌ，３Ｃ，３Ｒ及び液晶表示装置１１を遊技者が直接触れることができないようになっている。
【００３９】
また、ドア本体９の前面側の上部には、保護ガラス６を取り囲むようにして装飾部材７が取り付けられている。装飾部材７は、パチスロ機１の外装の一部を構成するとともに、上部外装部材７ａ、一対の側部外装部材７ｂ及び下部外装部材７ｃを含んで構成されている。特に、上部外装部材７ａは、液晶表示装置１１の上方であって、後述するシャッタ装置２００の前方に配置されている。上部外装部材７ａは、外装部材を構成する。
【００４０】
ドア本体９の中央には、台座部１２が形成されている。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ、選択ボタン１８、決定ボタン１９）が設けられている。
【００４１】
メダル投入口１３は、遊技者によって外部からパチスロ機１に投下されるメダルを受け入れるために設けられる。すなわち、メダル投入口１３は、遊技者によってメダルが投入されるためのものである。メダル投入口１３から投入されたメダルは、予め設定された枚数（例えば３枚）を上限として１回の遊技に使用され、予め設定された枚数を超えた分は、パチスロ機１の内部に預けることができる（いわゆるクレジット機能）。
【００４２】
ＭＡＸベットボタン１４及び１ベットボタン１５は、パチスロ機１の内部に預けられているメダルから１回の遊技に使用する枚数を決定するために設けられる。なお、図２には示さないが、台座部１２には、精算ボタンが設けられる。この精算ボタンは、パチスロ機１の内部に預けられているメダルを外部に引き出す（排出する）ために設けられる。
【００４３】
スタートレバー１６は、遊技者の操作に応じて全てのリール（３Ｌ，３Ｃ，３Ｒ）の回転を開始させるためのものであり、開始操作手段を構成する。
【００４４】
ストップボタン１７Ｌ，１７Ｃ，１７Ｒは、それぞれ、左リール３Ｌ、中リール３Ｃ、右リール３Ｒに対応付けて設けられ、遊技者の操作に応じて対応する各リールの回転を停止させるためのものである。これらストップボタン１７Ｌ，１７Ｃ，１７Ｒは、停止操作手段を構成する。
【００４５】
また、これらストップボタン１７Ｌ，１７Ｃ，１７Ｒは、液晶表示装置１１に表示される情報に関する操作を行う際に用いられるようになっており、例えば液晶表示装置１１の表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４６】
選択ボタン１８及び決定ボタン１９は、液晶表示装置１１の表示画面上における各種操作を行う際に用いられる。
【００４７】
また、台座部１２には、７セグメントＬＥＤ（Light Emitting Diode）からなる７セグ表示器２８が設けられている。この７セグ表示器２８は、特典として遊技者に対して払い出すメダルの枚数（以下、払出枚数）、パチスロ機１の内部に預けられているメダルの枚数（以下、クレジット枚数）等の情報をデジタル表示する。
【００４８】
ドア本体９の下部には、メダル払出口２１、メダル受皿２２、スピーカ２３Ｌ，２３Ｒ等が設けられている。メダル払出口２１は、後述のホッパー装置４３の駆動により排出されるメダルを外部に導く。メダル受皿２２は、メダル払出口２１から排出されたメダルを貯める。また、スピーカ２３Ｌ，２３Ｒは、演出内容に対応する効果音や楽曲等の音を出力する。
【００４９】
＜パチスロ機の電気的構成＞
次に、パチスロ機１の電気的構成について、図３を参照して説明する。図３は、パチスロ機１の電気的構成を示すブロック図である。
【００５０】
図３に示すように、パチスロ機１は、キャビネット２ａに配設された主制御基板４１と、フロントドア２ｂに配設された副制御基板４２とを有している。主制御基板４１には、リール中継端子板５１と、設定用鍵型スイッチ５２と、キャビネット側中継基板５３と、ドア中継端子板５４と、電源装置４４の電源基板４４ｂとが電気的に接続されている。
【００５１】
リール中継端子板５１は、各リール３Ｌ，３Ｃ，３Ｒのリール本体の内側に配設されている。このリール中継端子板５１は、各リール３Ｌ，３Ｃ，３Ｒのステッピングモータ（不図示）に電気的に接続されており、主制御基板４１からステッピングモータに出力される信号を中継する。設定用鍵型スイッチ５２は、パチスロ機１の設定を変更する際又はパチスロ機１の設定を確認する際に使用する。
【００５２】
キャビネット側中継基板５３には、外部集中端子板５６と、ホッパー装置４３と、メダル補助収納庫スイッチ５７とが電気的に接続されている。このキャビネット側中継基板５３は、主制御基板４１から外部集中端子板５６、ホッパー装置４３、メダル補助収納庫スイッチ５７に出力される信号を中継する。つまり、外部集中端子板５６、ホッパー装置４３及びメダル補助収納庫スイッチ５７は、キャビネット側中継基板５３を介して主制御基板４１に接続されている。
【００５３】
外部集中端子板５６は、キャビネット２ａに取り付けられており、メダル投入信号、メダル払出信号及びセキュリティ信号などの信号をパチスロ機１の外部へ出力するために設けられている。
【００５４】
メダル補助収納庫スイッチ５７は、図示しないメダル補助収納庫を貫通している。このメダル補助収納庫スイッチ５７は、メダル補助収納庫がメダルで満杯になっているか否かを検出する。
【００５５】
電源装置４４の電源基板４４ｂには、電源スイッチ４４ａが接続されている。この電源スイッチ４４ａは、パチスロ機１に必要な電源を供給するときにＯＮにする。
【００５６】
ドア中継端子板５４には、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９が接続されている。つまり、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９は、ドア中継端子板５４を介して主制御基板４１に接続されている。
【００５７】
メダルセンサ４６は、メダルが図示しないセレクタ内を通過したことを検出して、その検出結果を主制御基板４１に出力する。ドア開閉監視スイッチ６１は、フロントドア２ｂの開閉を報知するためのセキュリティ信号をパチスロ１の外部へ出力する。ＢＥＴスイッチ６２は、ＭＡＸベットボタン１４及び１ベットボタン１５（図２参照）が遊技者により押されたことを検出して、その検出結果を主制御基板４１に出力する。
【００５８】
精算スイッチ６３は、精算ボタン（不図示）が遊技者により押されたことを検出して、その検出結果を主制御基板４１に出力する。スタートスイッチ６４は、スタートレバー１６が遊技者により操作されたこと（開始操作）を検出して、その検出結果を主制御基板４１に出力する。
【００５９】
ストップスイッチ基板６５は、回転しているリールを停止させるための回路と、停止可能なリールをＬＥＤなどにより表示するための回路を構成する基板である。このストップスイッチ基板６５には、ストップスイッチが設けられている。ストップスイッチは、各ストップボタン１７Ｌ，１７Ｃ，１７Ｒが遊技者により押されたこと（停止操作）を検出する。
【００６０】
遊技動作表示基板６６は、メダルの投入を受け付けるとき、３つのリール３Ｌ，３Ｃ，３Ｒが回動可能なとき及び再遊技を行うときに、投入されたメダルの枚数を７セグ表示器２８に表示させるための基板である。この遊技動作表示基板６６には、７セグ表示器２８とＬＥＤ７０が接続されている。ＬＥＤ７０は、例えば、遊技の開始を表示するマークや再遊技を行うマークなどを点灯させる。
【００６１】
選択スイッチ６７は、選択ボタン１８が遊技者により押されたことを検出して、その検出結果を主制御基板４１及び副中継基板６９に出力する。決定スイッチ６８は、決定ボタン１９が遊技者により押されたことを検出して、その検出結果を主制御基板４１及び副中継基板６９に出力する。
【００６２】
副中継基板６９は、副制御基板４２と主制御基板４１とを接続する配線を中継する。また、副中継基板６９は、副制御基板４２と副制御基板４２の周辺に配設された複数の基板とを接続する配線を中継する。すなわち、副中継基板６９には、副制御基板４２と、サウンドＩ／Ｏ基板７１と、ＬＥＤ基板７２と、２４ｈドア開閉監視ユニット７４と、シャッタ制御基板７８とが電気的に接続されている。
【００６３】
副制御基板４２は、ドア中継端子板５４と副中継基板６９を介して主制御基板４１に接続されている。また、副制御基板４２は、副中継基板６９を介して、サウンドＩ／Ｏ基板７１と、ＬＥＤ基板７２と、２４ｈドア開閉監視ユニット７４と、シャッタ制御基板７８とに電気的に接続されている。
【００６４】
サウンドＩ／Ｏ基板７１は、スピーカ２３Ｌ，２３Ｒへの音声の出力を行う。ＬＥＤ基板７２は、副制御回路１０１（図５参照）の制御により実行される演出に応じて、光源の一具体例を示すＬＥＤ群２５を発光させて、点滅パターンを表示する。
【００６５】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１にエラー表示を行うための信号を副制御基板４２（副制御回路１０１）に出力する。
【００６６】
シャッタ制御基板７８は、副制御回路１０１（図５参照）の制御により実行される演出に応じて、シャッタ装置２００を駆動させる。シャッタ装置２００は、シャッタ制御基板７８によって駆動制御されることで後述するシャッタ部材２０１，２０２，２０３，２０４の昇降を行う。
【００６７】
副制御基板４２には、ロムカートリッジ基板７６と、液晶中継基板７７とが接続されている。ロムカートリッジ基板７６は、演出用の画像（映像）、音声、光（ＬＥＤ群２５）、シャッタ装置２００の駆動及び通信のデータを管理するための基板である。液晶中継基板７７は、副制御基板４２と液晶表示装置１１とを接続する配線を中継する基板である。
【００６８】
＜主制御回路＞
次に、主制御基板４１により構成される主制御回路９１について、図４を参照して説明する。図４は、パチスロ機１の主制御回路９１の構成例を示すブロック図である。
【００６９】
図４に示すように、主制御部としての主制御回路９１は、主制御基板４１上に設置されたマイクロコンピュータ９２を主たる構成要素とし、遊技の進行を制御するものである。マイクロコンピュータ９２は、メインＣＰＵ９３、メインＲＯＭ９４及びメインＲＡＭ９５により構成される。
【００７０】
メインＲＯＭ９４には、メインＣＰＵ９３により実行される制御プログラム、データテーブル、副制御回路１０１に対して各種制御指令（コマンド信号）を送信するためのデータ等が記憶されている。メインＲＡＭ９５には、制御プログラムの実行により決定された内部当籤役等の各種データを格納する格納領域が設けられる。
【００７１】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００７２】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
【００７３】
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００７４】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００７５】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００７６】
本実施の形態では、基本的に滑り駒数の最大数を図柄４個分に定めている。したがって、左ストップボタン１７Ｌが押されたときに表示窓４の中段にある左リール３Ｌの図柄と、その４個先の図柄までの範囲内にある各図柄が、表示窓４の中段に停止可能な図柄となる。
【００７７】
＜副制御回路＞
次に、副制御基板４２により構成される副制御回路１０１について、図５を参照して説明する。図５は、パチスロ機１の副制御回路１０１の構成例を示すブロック図である。
【００７８】
図５に示すように、副制御部としての副制御回路１０１は、主制御回路９１と電気的に接続されており、主制御回路９１から送信されるコマンド信号に基づいて演出内容の決定や実行等の処理を行うとともに、液晶表示装置１１、シャッタ装置２００、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００７９】
サブＣＰＵ１０２は、主制御回路９１から送信されたコマンド信号に応じて、ロムカートリッジ基板７６に記憶されている制御プログラムに従い、映像、音、光の出力及びシャッタ装置２００の駆動の制御を行う。ロムカートリッジ基板７６は、基本的に、プログラム記憶領域とデータ記憶領域によって構成される。
【００８０】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図２参照）による映像の表示を制御する描画制御タスク、シャッタ装置２００によるシャッタ部材２０１，２０２，２０３，２０４の昇降や回転を制御する役物制御タスク、ＬＥＤ群２５等の光源による光の出力を制御するランプ制御タスク、スピーカ２３Ｌ，２３Ｒによる音の出力を制御する音声制御タスク等が含まれる。
【００８１】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００８２】
サブＲＡＭ１０３は、決定された演出内容や演出データを登録する格納領域や、主制御回路９１から送信される内部当籤役等の各種データを格納する格納領域が設けられている。
【００８３】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。また、サブＣＰＵ１０２は、演出内容により指定された役物可動データに従ってシャッタ装置２００を駆動する。
【００８４】
また、サブＣＰＵ１０２は、演出内容により指定されたサウンドデータに従ってＢＧＭなどの音をスピーカ２３Ｌ，２３Ｒにより出力させる。また、サブＣＰＵ１０２は、演出内容により指定されたランプデータに従ってＬＥＤ群２５の点灯及び消灯を制御する。
【００８５】
＜シャッタ装置＞
次に、シャッタ装置２００について、図６〜図３０を参照して説明する。図６〜図１４は、シャッタ装置２００の構成を示す図であって、シャッタ部材２０１，２０２，２０３，２０４が１枚ずつ下降していく過程を示したものである。
【００８６】
図７に示すように、シャッタ装置２００は、液晶表示装置１１よりもパチスロ機１の前面側に設けられている。なお、図７においては、左側がパチスロ機１の前面側であり、右側がパチスロ機１の背面側である。また、図７では、図示をしていないが、シャッタ装置２００の前面側（図中、左側）には、保護ガラス６（図２参照）が配置されている。したがって、シャッタ装置２００は、保護ガラス６と液晶表示装置１１との間に設けられ、液晶表示装置１１よりも遊技者側に配置されている。
【００８７】
ここで、図６、図９、図１１及び図１３は、それぞれシャッタ装置２００をパチスロ機１の背面側、つまり液晶表示装置１１側から見た図である。
【００８８】
図６及び図７に示すように、シャッタ装置２００は、シャッタベース２２０と、複数枚（本実施の形態では、４枚）の板状のシャッタ部材２０１，２０２，２０３，２０４と、昇降手段としての昇降ユニット２０６と、スライダ機構２１０と、回転機構２３０と、を含んで構成されている。なお、シャッタ部材の枚数は、４枚に限らず、２枚又は３枚、もしくは５枚以上であってもよい。
【００８９】
シャッタベース２２０は、コの字型の板状に成形され、図示しない締結部材を介してフロントドア２ｂのドア本体９（図２参照）に取り付けられている。また、シャッタベース２２０は、上片部２２１と、上片部２２１の長手方向の両端に一体成形された一対の側片部２２２，２２３と、を含んで構成されている。
【００９０】
一対の側片部２２２，２２３には、それぞれ長手方向（上下方向）に延在する長穴２２２ａ，２２２ｂ，２２２ｃ、２２３ａ，２２３ｂ，２２３ｃが形成されている。長穴２２２ａ，２２３ａには、後述する第１のスライダ２１１及び第２のスライダ２１２が上下方向に摺動可能に取り付けられている。また、長穴２２２ｂ，２２３ｂには、後述する第３のスライダ２１３が上下方向に摺動可能に取り付けられている。さらに、長穴２２２ｃ，２２３ｃには、後述する第４のスライダ２１４が上下方向に摺動可能に取り付けられている。
【００９１】
シャッタ部材２０１，２０２，２０３，２０４は、液晶表示装置１１を遮蔽する遮蔽位置（図１９に示す位置）と液晶表示装置１１を露出させる露出位置（図１７に示す位置）との間で昇降可能に構成されている。ここで、露出位置（図１７に示す位置）は、遮蔽位置（図１９に示す位置）よりも上方に設けられている。
【００９２】
図７に示すように、昇降ユニット２０６は、昇降モータ２４０と、テンショナ２４１と、駆動ベルト２４２とを含んで構成されている。昇降ユニット２０６は、図２８に示すように、シャッタベース２２０の一対の側片部２２２，２２３にそれぞれ設けられている。
【００９３】
昇降モータ２４０は、正逆回転可能な、例えばステッピングモータによって構成されている。昇降モータ２４０は、カバー部材２５０（図２８参照）の内部に固定されている。カバー部材２５０は、昇降ユニット２０６を覆うようにしてシャッタベース２２０の一対の側片部２２２，２２３にそれぞれ固定されている。
【００９４】
また、図８（ａ）に示すように、昇降モータ２４０は、図示しない駆動軸を有し、この駆動軸には、ピニオンギヤ２４０ａが取り付けられている。また、カバー部材２５０（図２８参照）の内部には、ギヤ部２４４ａが一体回転可能に設けられた駆動プーリ２４４が回転自在に支持されている。
【００９５】
上述のピニオンギヤ２４０ａは、ギヤ部２４４ａと噛み合うよう構成され、昇降モータ２４０の回転を駆動プーリ２４４に伝達するようになっている。駆動プーリ２４４には、駆動ベルト２４２が巻き掛けられている。
【００９６】
テンショナ２４１は、カバー部材２５０（図２８参照）の内部に取り付けられ、図示しないスプリングによって常時下方に付勢されるテンションプーリ２４１ａを有している。テンションプーリ２４１ａには、駆動ベルト２４２が巻き掛けられている。これにより、駆動ベルト２４２は、常に一定以上の張力に維持される。
【００９７】
駆動ベルト２４２は、駆動プーリ２４４とテンションプーリ２４１ａとに巻き掛けられ、昇降モータ２４０によって駆動プーリ２４４を介して周回駆動するようになっている。また、図８（ａ）に示すように、駆動ベルト２４２には、第１のスライダ２１１が連結されている。
【００９８】
これにより、第１のスライダ２１１は、駆動ベルト２４２の周回駆動に伴って上下に昇降する。なお、後述するが、第１のスライダ２１１には、シャッタ部材２０１，２０２，２０３，２０４のうち、最下位のシャッタ部材２０１が回転可能に支持されている。
【００９９】
したがって、昇降ユニット２０６は、シャッタ部材２０１，２０２，２０３，２０４のうち、最下位のシャッタ部材２０１を遮蔽位置（図１９に示す位置）と露出位置（図１７に示す位置）との間で昇降させるものである。
【０１００】
図６に示すように、スライダ機構２１０は、最下位のシャッタ部材２０１以外の他のシャッタ部材２０２，２０３，２０４を最下位のシャッタ部材２０１に連動させて、遮蔽位置（図１９に示す位置）と露出位置（図１７に示す位置）との間で昇降するよう、最下位のシャッタ部材２０１と他のシャッタ部材２０２，２０３，２０４とを接続するものである。
【０１０１】
具体的には、スライダ機構２１０は、第１のスライダ２１１と、第２のスライダ２１２と、第３のスライダ２１３と、第４のスライダ２１４とを含んで構成されている。第１のスライダ２１１、第２のスライダ２１２、第３のスライダ２１３及び第４のスライダ２１４は、いずれもシャッタ部材２０１，２０２，２０３，２０４を回転可能に支持している。
【０１０２】
これにより、シャッタ部材２０１，２０２，２０３，２０４は、それぞれの表面２０１ａ，２０２ａ，２０３ａ，２０４ａ（図１９において露出している面）と液晶表示装置１１の画像表示面１１ａ（図７参照）とのなす角度が変更されるようスライダ機構２１０に回転可能に支持される。
【０１０３】
第１のスライダ２１１は、一対の側片部２２２，２２３の長穴２２２ａ，２２３ａに沿って上下方向に摺動可能となっている。図８（ｂ）に示すように、第１のスライダ２１１の上端部には、第２のスライダ２１２に当接可能なように画像表示面側（図８（ａ）中、右側）に突出したストッパ部２１１ａが形成されている。ストッパ部２１１ａは、後述する第２のスライダ２１２の上下の当接面２１２ａ，２１２ｂに当接することで、第２のスライダ２１２に対する第１のスライダ２１１の移動範囲を規制するものである。
【０１０４】
図６に示すように、第２のスライダ２１２は、第１のスライダ２１１と同様、一対の側片部２２２，２２３の長穴２２２ａ，２２３ａに沿って上下方向に摺動可能となっている。
【０１０５】
図８（ｂ）に示すように、第２のスライダ２１２には、画像表示面側と反対側（図８（ａ）中、左側）に窪んだ凹部２１２Ａが形成されている。凹部２１２Ａの上下の内壁面には、第１のスライダ２１１のストッパ部２１１ａが当接可能な当接面２１２ａ，２１２ｂが形成されている。
【０１０６】
また、図６に示すように、第２のスライダ２１２の上端部には、上下方向に直交する左右方向（図６中、左右方向）にそれぞれ突出した内側ストッパ部２１２ｃ及び外側ストッパ部２１２ｄが設けられている。
【０１０７】
内側ストッパ部２１２ｃは、後述する第３のスライダ２１３の上下の当接面２１３ａ，２１３ｂに当接することで、第３のスライダ２１３に対する第２のスライダ２１２の移動範囲を規制するものである。一方、外側ストッパ部２１２ｄは、後述する第４のスライダ２１４の上下の当接面２１４ａ，２１４ｂに当接することで、第４のスライダ２１４に対する第２のスライダ２１２の移動範囲を規制するものである。
【０１０８】
第３のスライダ２１３は、一対の側片部２２２，２２３の長穴２２２ｂ，２２３ｂに沿って上下方向に摺動可能となっている。第３のスライダ２１３には、画像表示面側（図７中、右側）に窪んだ凹部２１３Ａが形成されている。凹部２１３Ａの上下の内壁面には、第２のスライダ２１２の内側ストッパ部２１２ｃが当接可能な当接面２１３ａ，２１３ｂが形成されている。
【０１０９】
第４のスライダ２１４は、一対の側片部２２２，２２３の長穴２２２ｃ，２２３ｃに沿って上下方向に摺動可能となっている。第４のスライダ２１４には、画像表示面側（図７中、右側）に窪んだ凹部２１４Ａが形成されている。凹部２１４Ａの上下の内壁面には、第２のスライダ２１２の外側ストッパ部２１２ｄが当接可能な当接面２１４ａ，２１４ｂが形成されている。このように構成されたスライダ機構２１０は、接続手段及び支持手段を構成する。
【０１１０】
ここで、図６〜図１４を参照して、シャッタ部材２０１，２０２，２０３，２０４を下降させる際の上述したスライダ機構２１０の動作について説明する。
【０１１１】
まず、図６〜図８に示すように、昇降ユニット２０６によって露出位置（図１７に示す位置）にある最下位のシャッタ部材２０１を下降させると、他のシャッタ部材２０２，２０３，２０４もその自重により最下位のシャッタ部材２０１に追従して下降する。
【０１１２】
このとき、まず最初に、第４のスライダ２１４が長穴２２２ｃ，２２３ｃの最下部に突き当たり、それ以上の下方への移動が規制される。このとき、第２のスライダ２１２の当接面２１２ａは、第１のスライダ２１１のストッパ部２１１ａに当接している。また、第２のスライダ２１２の内側ストッパ部２１２ｃは、第３のスライダ２１３の当接面２１３ａに当接している。
【０１１３】
次いで、図９及び図１０に示すように、第３のスライダ２１３が長穴２２２ｂ，２２３ｂの最下部に突き当たり、それ以上の下方への移動が規制される。このとき、第２のスライダ２１２の内側ストッパ部２１２ｃは、第３のスライダ２１３の当接面２１３ａへの当接が解消される。
【０１１４】
次いで、図１１及び図１２に示すように、第２のスライダ２１２の内側ストッパ部２１２ｃが第３のスライダ２１３の当接面２１３ｂに当接し、第２のスライダ２１２のそれ以上の下方への移動が規制される。このとき、第２のスライダ２１２の外側ストッパ部２１２ｄは、第４のスライダ２１４の当接面２１４ｂに当接することとなる。
【０１１５】
最後に、図１３及び図１４に示すように、第１のスライダ２１１が長穴２２２ａ，２２３ａの最下部に突き当たり、それ以上の下方への移動が規制される。このとき、第１のスライダ２１１のストッパ部２１１ａは、第２のスライダ２１２の当接面２１２ｂに当接することとなる。これにより、シャッタ部材２０１，２０２，２０３，２０４が遮蔽位置（図１９に示す位置）にて停止することとなる。
【０１１６】
一方、昇降ユニット２０６によって遮蔽位置（図１９に示す位置）にある最下位のシャッタ部材２０１を上昇させると、まず、第１のスライダ２１１のストッパ部２１１ａが第２のスライダ２１２の当接面２１２ａに当接する。
【０１１７】
次いで、第２のスライダ２１２が第１のスライダ２１１によって押し上げられる。続いて、第１のスライダ２１１とともに第２のスライダ２１２が上昇すると、今度は、第２のスライダ２１２の内側ストッパ部２１２ｃが第３のスライダ２１３の当接面２１３ａに当接する。
【０１１８】
その後、第３のスライダ２１３が第２のスライダ２１２によって押し上げられる。続いて、第１のスライダ２１１及び第２のスライダ２１２とともに第３のスライダ２１３が上昇すると、第２のスライダ２１２の外側ストッパ部２１２ｄが第４のスライダ２１４の当接面２１４ａに当接する。
【０１１９】
次いで、第４のスライダ２１４が第２のスライダ２１２によって押し上げられる。続いて、第１のスライダ２１１、第２のスライダ２１２及び第３のスライダ２１３とともに第４のスライダ２１４が上昇すると、第４のスライダ２１４が長穴２２３ｃの最上部に突き当たり、それ以上の上昇が規制される。これにより、シャッタ部材２０１，２０２，２０３，２０４が露出位置（図１７に示す位置）にて停止することとなる。
【０１２０】
ここで、図１７及び図１８に示すように、シャッタ部材２０１，２０２，２０３，２０４は、昇降ユニット２０６によって露出位置に上昇させられたとき、それぞれの表面２０１ａ，２０２ａ，２０３ａ，２０４ａ（図１８参照）が上方を向くよう回転した状態で互いに重畳されて上部外装部材７ａの背面側の空間に収容される。
【０１２１】
次に、図１５及び図１６を参照して、スライダ機構２１０に対するシャッタ部材２０１，２０２，２０３，２０４の支持構造について、シャッタ部材２０３を例に説明する。なお、他のシャッタ部材２０１，２０２，２０４については、シャッタ部材２０３と同様であるため、その説明を省略する。
【０１２２】
図１５（ａ）、（ｂ）に示すように、シャッタ部材２０３は、長手方向の両端に回転軸２０３Ａを有しており、この回転軸２０３Ａが第３のスライダ２１３に回転可能に支持されることで、シャッタ部材２０３が回転可能となっている。なお、図１５及び図１６においては、第３のスライダ２１３の一部形状を省略している。
【０１２３】
また、シャッタ部材２０３の回転軸２０３Ａの両端には、後述する回転機構２３０の係合部材２３４に係合可能な回転体２６０が一体回転可能に取り付けられている。
【０１２４】
ここで、図１５（ｂ）及び図１６（ｂ）に示すように、第３のスライダ２１３には、回転体２６０側に突出した突出部２１３ｃが形成されている。また、回転体２６０には、回転体２６０が回転した際に、前述した突出部２１３ｃに当接することによって、回転体２６０の回転範囲を規制する規制部２６０ａ，２６０ｂが形成されている。なお、本実施の形態における回転体２６０の回転範囲は、略１８０°である。これにより、シャッタ部材２０３は、表面２０３ａと裏面２０３ｂとを反転することができる。
【０１２５】
さらに、回転体２６０と第３のスライダ２１３との間には、いわゆる巻き戻しタイプのねじりばね２６２が設けられている。ねじりばね２６２は、一方のフックが第３のスライダ２１３に係止され、かつ他方のフックが回転体２６０に係止されており、シャッタ部材２０３の表面２０３ａが画像表示面１１ａに対して平行となるよう回転体２６０を、図１５（ａ）中、矢印Ｇで示す一の回転方向に常時付勢している。ねじりばね２６２は、付勢手段を構成する。
【０１２６】
本実施の形態では、シャッタ部材２０３が露出位置（図１７に示す位置）にあるときには、図１６（ａ）、（ｂ）に示すように、ねじりばね２６２の付勢力に抗して回転体２６０が図１６（ａ）中、矢印Ｈで示す他の回転方向（図１５（ａ）中、矢印Ｇで示す一の回転方向と逆回転方向）に回転した状態となる。これにより、シャッタ部材２０３は、他のシャッタ部材２０１，２０２，２０４とともに折り重なるようにして上部外装部材７ａ（図１８参照）の背面側の空間に収容される。
【０１２７】
一方、シャッタ部材２０３が遮蔽位置（図１９に示す位置）にあるときには、図１５（ａ）、（ｂ）に示すように、ねじりばね２６２の付勢力によって回転体２６０が図１５（ａ）中、矢印Ｇで示す一の回転方向に回転した状態となる。これにより、シャッタ部材２０３は、表面２０３ａが画像表示面１１ａに対して平行な状態となる。
【０１２８】
次に、図１９〜図２６を参照して、回転機構２３０について説明する。
【０１２９】
まず、回転機構２３０は、シャッタ部材２０１，２０２，２０３，２０４が遮蔽位置にあるときに、シャッタ部材２０１，２０２，２０３，２０４が図１９に示す状態、図２３に示す状態、及び図２５に示す状態のいずれかの状態となるよう、シャッタ部材２０１，２０２，２０３，２０４を回転させるものである。
【０１３０】
ここで、図１９に示す状態は、シャッタ部材２０１，２０２，２０３，２０４の表面２０１ａ，２０２ａ，２０３ａ，２０４ａがパチスロ機１の前面側を向いた状態で、液晶表示装置１１を遮蔽した状態である。
【０１３１】
図２３に示す状態は、シャッタ部材２０１，２０２，２０３，２０４の表面２０１ａ，２０２ａ，２０３ａ，２０４ａが液晶表示装置１１の画像表示面１１ａに対して直交した角度で停止した状態である。すなわち、図２３に示す状態は、シャッタ部材２０１，２０２，２０３，２０４が半開状態にあり、これらシャッタ部材間の隙間から画像表示面１１ａが視認可能な状態である。
【０１３２】
図２５に示す状態は、シャッタ部材２０１，２０２，２０３，２０４の裏面２０１ｂ，２０２ｂ，２０３ｂ，２０４ｂがパチスロ機１の前面側を向いた状態で、液晶表示装置１１を遮蔽した状態である。
【０１３３】
図２０に示すように、回転機構２３０は、駆動部としての駆動モータ２３１（図６参照）と、ラック部２３３と、係合部材２３４と、を含んで構成されている。
【０１３４】
図６に示すように、駆動モータ２３１は、シャッタベース２２０の側片部２２２の下方においてベース部材２３８に取り付けられている。なお、ベース部材２３８は、図示しない締結部材を介してドア本体９に固定されている。
【０１３５】
駆動モータ２３１は、回転角度を調整可能かつ正逆回転可能な、例えばステッピングモータによって構成されている。また、駆動モータ２３１の駆動軸には、図２０に示すように、ピニオンギヤ２３２が一体回転可能に取り付けられている。
【０１３６】
ラック部２３３は、ベース部材２３８（図６参照）に設けられた固定ピン２３８ａが嵌合するスライド穴２３３ａを有している。また、ラック部２３３には、ピニオンギヤ２３２に噛み合う第１のギヤ部２３３ｂと、後述する係合部材２３４のギヤ部２３４ｂ（図２１参照）に噛み合う第２のギヤ部２３３ｃとが形成されている。
【０１３７】
これにより、ラック部２３３は、ピニオンギヤ２３２の回転に応じて固定ピン２３８ａに沿って上下方向に移動自在となっている。
【０１３８】
係合部材２３４は、シャッタ部材２０１，２０２，２０３，２０４に対応して４つ設けられている。また、係合部材２３４は、シャッタ部材２０１，２０２，２０３，２０４が遮蔽位置（図１９に示す位置）に下降した際に、シャッタ部材２０１，２０２，２０３，２０４の回転体２６０（図１６（ａ）参照）に係合するようになっている。
【０１３９】
具体的には、図２１及び図２２に示すように、回転体２６０には、係合部材２３４に係合可能な係合突起２６０ｃが形成されている。一方、係合部材２３４には、回転体２６０の係合突起２６０ｃが係合可能な係合面２３４ａが形成されている。係合面２３４ａは、係合部材２３４の一方の側面から回転体２６０側に突出した部分に形成されている。なお、図２１及び図２２では、シャッタ部材２０１の回転体２６０に係合する係合部材２３４を示しているが、他のシャッタ部材の回転体２６０に対応する係合部材２３４も同様に構成されている。
【０１４０】
シャッタ部材２０１，２０２，２０３，２０４が遮蔽位置（図１９に示す位置）に下降した際には、図２１に示すように、回転体２６０の係合突起２６０ｃが係合部材２３４の係合面２３４ａに接して互いに係合するようになっている。
【０１４１】
また、係合部材２３４の他方の側面には、ラック部２３３の第２のギヤ部２３３ｃに噛み合うギヤ部２３４ｂが形成されている。これにより、係合部材２３４は、ラック部２３３の上下方向への移動に伴い回転するようになっている。
【０１４２】
このように構成された回転機構２３０は、図２０及び図２６に示すように、駆動モータ２３１の駆動によってラック部２３３を上下方向に移動させることで、係合部材２３４を１８０°、回転駆動させることができるとともに、図２４に示すように、駆動モータ２３１を所定ステップ数だけ駆動することで、係合部材２３４を所定駆動量だけ回転駆動することもできる。
【０１４３】
したがって、回転機構２３０は、駆動モータ２３１の駆動によって係合部材２３４を正逆方向に１８０°、回転駆動させることで、シャッタ部材２０１，２０２，２０３，２０４の表面２０１ａ，２０２ａ，２０３ａ，２０４ａと裏面２０１ｂ，２０２ｂ，２０３ｂ，２０４ｂとが反転するよう、シャッタ部材２０１，２０２，２０３，２０４を遮蔽位置で回転させることができる。
【０１４４】
また、回転機構２３０は、駆動モータ２３１の駆動によって係合部材２３４を所定駆動量（例えば、９０°）だけ回転させることで、シャッタ部材２０１，２０２，２０３，２０４の表面２０１ａ，２０２ａ，２０３ａ，２０４ａが画像表示面１１ａ（図２３参照）に対して直交した角度でシャッタ部材２０１，２０２，２０３，２０４を停止させることができる。
【０１４５】
次に、図２７を参照して、シャッタ部材２０１，２０２，２０３，２０４の断面形状について、シャッタ部材２０１，２０２を例に説明する。なお、他のシャッタ部材についても、その断面形状は同様であるため、説明を省略する。
【０１４６】
図２７に示すように、シャッタ部材２０１は、表面２０１ａが画像表示面１１ａ（図１４参照）に対して平行となったときに、短手方向の上方に位置する一方端部３０１と、短手方向の下方に位置する他方端部３０２とを有する。他のシャッタ部材２０２〜２０４も同様に、一方端部３０１及び他方端部３０２を有する。
【０１４７】
これら一方端部３０１及び他方端部３０２は、シャッタ部材２０１の回転軸方向（図２７中、紙面に直交する方向）に直交する方向の断面形状が、シャッタ部材２０１の表面２０１ａに直交する方向（図２７中、矢印Ｊで示す左右方向）に互いに離隔した頂点３０１ａ，３０２ａを有する形状である。
【０１４８】
具体的には、一方端部３０１の断面形状は、表面２０１ａ側からシャッタ部材２０１のＪ方向の中心よりも裏面２０１ｂ側に位置する頂点３０１ａに向けて傾斜した傾斜部３０１ｂを有する形状である。このため、傾斜部３０１ｂは、一方端部３０１においてシャッタ部材２０１のＪ方向の厚みの半分以上の領域を占めている。
【０１４９】
一方、他方端部３０２の断面形状は、裏面２０１ｂ側から頂点３０１ａよりも表面２０１ａ側に位置する頂点３０２ａに向けて傾斜した傾斜部３０２ｂを有する形状である。また、頂点３０２ａは、シャッタ部材２０１のＪ方向の中心よりも裏面２０１ｂ側に位置している。このため、傾斜部３０２ｂは、他方端部３０２においてシャッタ部材２０１のＪ方向の厚みの半分以下の領域に留まる。
【０１５０】
したがって、シャッタ部材２０１が上方に押し上げられた際には、シャッタ部材２０１の頂点３０１ａがシャッタ部材２０２の傾斜部３０２ｂに沿って上方に移動することで、シャッタ部材２０２が図２７に示すようにＨ方向に回転する。その後、シャッタ部材２０１の傾斜部３０１ｂがシャッタ部材２０２の裏面２０２ｂに沿って上方に移動することで、シャッタ部材２０２がさらにＨ方向に回転する。
【０１５１】
なお、本実施の形態で示した一方端部３０１及び他方端部３０２の断面形状は、一例であって、シャッタ部材２０１の上昇によってシャッタ部材２０２を回転させることができる形状であれば、いずれの形状であってもよい。
【０１５２】
次に、図２８〜図３０を参照して、シャッタ部材２０１，２０２，２０３，２０４を発光させる構造について説明する。
【０１５３】
図２８に示すように、シャッタ装置２００は、シャッタ部材２０１，２０２，２０３，２０４に側方から光を照射する光照射手段としての光照射装置４００を、シャッタ部材２０１，２０２，２０３，２０４の長手方向の両端部側に２つ備えている。また、これら光照射装置４００は、支持部材４００ａを介してシャッタベース２２０の側片部２２２，２２３にそれぞれ固定されている。
【０１５４】
光照射装置４００は、シャッタ部材２０１，２０２，２０３，２０４のそれぞれに対応して上下方向に並べて配置された４つのＬＥＤ４０１，４０２，４０３，４０４を有している。ＬＥＤ４０１，４０２，４０３，４０４は、上述したＬＥＤ群２５（図３参照）に含まれる。
【０１５５】
また、シャッタ部材２０１，２０２，２０３，２０４は、一方の面（本実施の形態では、裏面２０１ｂ〜２０４ｂ）の少なくとも一部に装飾５００が施されている。この装飾５００は、任意の形状で描かれ、特に図２８に示した形状に限られない。
【０１５６】
図２９に示すように、裏面２０１ｂ〜２０４ｂの装飾５００が施された箇所には、ＬＥＤ４０１，４０２，４０３，４０４から照射された光をパチスロ機１（図２参照）の前面側に向かって反射させる凹凸５０１が形成されている。
【０１５７】
図３０に示すように、凹凸５０１は、ＬＥＤ４０１，４０２，４０３，４０４から照射された光が図中、矢印で示すように、パチスロ機１の前面側に向かって反射可能な傾斜面５０１ａを有する。なお、図３０では、シャッタ部材２０２の裏面２０２ｂに設けられた凹凸５０１を例に説明したが、他のシャッタ部材の凹凸５０１も同様に構成されている。
【０１５８】
また、本実施の形態では、ＬＥＤ４０１，４０２，４０３，４０４は、凹凸５０１の傾斜面５０１ａに対して所定の角度で光を照射するよう、傾斜した状態で光照射装置４００に設置されている。ここで、ＬＥＤ４０１，４０２，４０３，４０４の設置角度は、傾斜面５０１ａで反射した光がパチスロ機１の前面側に向かうような照射光を傾斜面５０１ａに対して照射可能な角度とされる。より厳密には、ＬＥＤ４０１，４０２，４０３，４０４の傾斜面５０１ａに対する入射角度と反射角度とを考慮して、ＬＥＤ４０１，４０２，４０３，４０４の設置角度及び傾斜面５０１ａの角度が設定されるのが好ましい。
【０１５９】
以上のように、本実施の形態に係るパチスロ機１は、昇降可能なシャッタ部材２０１〜２０４を有するシャッタ装置２００を液晶表示装置１１よりもパチスロ機１の前面側に設ける。また、最下位のシャッタ部材２０１は、昇降ユニット２０６によって昇降される一方で、スライダ機構２１０を介して最下位のシャッタ部材２０１に接続された他のシャッタ部材２０２〜２０４は、最下位のシャッタ部材２０１に連動させて昇降するようになっている。
【０１６０】
これにより、本実施の形態に係るパチスロ機１は、視覚的な演出として、液晶表示装置１１による画像演出と、シャッタ部材２０１の昇降による役物演出とを組み合わせることができる。したがって、本実施の形態に係るパチスロ機１は、意外性に富んだ視覚的な演出を行うことで遊技の興趣を向上させることができる。
【０１６１】
また、本実施の形態に係るパチスロ機１は、最下位のシャッタ部材２０１を昇降させるだけで、全てのシャッタ部材２０１〜２０４を連動して昇降させることができる。このため、全てのシャッタ部材２０１〜２０４に対応した昇降手段を設ける必要がなく、簡素な構成でシャッタ装置２００を構成できる。
【０１６２】
また、本実施の形態に係るパチスロ機１は、シャッタ部材２０１〜２０４の表面２０１ａ〜２０４ａが画像表示面１１ａに対して平行となるよう、ねじりばね２６２によってシャッタ部材２０１〜２０４が一の回転方向（図１５（ａ）中、矢印Ｇで示す方向）に付勢されているので、シャッタ部材２０１〜２０４が昇降する際のがたつきを抑制することができる。これにより、本実施の形態に係るパチスロ機１は、シャッタ部材２０１〜２０４の昇降を円滑に行うことができる。
【０１６３】
また、本実施の形態に係るパチスロ機１において、露出位置（図１７に示す位置）に上昇させられた全てのシャッタ部材２０１〜２０４は、それぞれの表面２０１ａ〜２０４ａが上方を向くよう回転した状態で互いに重畳されて上部外装部材７ａの背面側の空間に収容される。このため、全てのシャッタ部材２０１〜２０４を収容した際には、それらシャッタ部材２０１〜２０４を遊技者から視認されない上部外装部材７ａの背面側に隠すことができる。これにより、シャッタ部材２０１〜２０４が下降した際に、遊技者に意外性を与えることができる。
【０１６４】
また、本実施の形態に係るパチスロ機１において、シャッタ部材２０１〜２０４は、回転機構２３０の駆動モータ２３１によって係合部材２３４が回転駆動されることで、表面２０１ａ〜２０４ａと裏面２０１ｂ〜２０４ｂとが反転するよう遮蔽位置（図１９に示す位置）で回転させられる。このため、シャッタ部材２０１〜２０４によって単に液晶表示装置１１を遮蔽するだけでなく、シャッタ部材２０１〜２０４の表面２０１ａ〜２０４ａと裏面２０１ｂ〜２０４ｂとを反転させることによってシャッタ部材２０１〜２０４の動きに意外性を持たせることができる。
【０１６５】
また、本実施の形態に係るパチスロ機１において、シャッタ部材２０１〜２０４は、その表面２０１ａ〜２０４ａが画像表示面１１ａに対して直交した角度で停止するよう構成されているので、遮蔽位置（図１９に示す位置）においても画像表示面１１ａを遊技者に対して視認させることができる。これにより、シャッタ部材２０１〜２０４の動きにさらに意外性を持たせるとともに、遮蔽位置においてもシャッタ部材２０１〜２０４と液晶表示装置１１とを組み合わせた演出を行うことができる。
【０１６６】
また、本実施の形態に係るパチスロ機１は、シャッタ部材２０１〜２０４の一方端部３０１及び他方端部３０２の断面形状が、シャッタ部材２０１〜２０４の表面２０１ａ〜２０４ａに直交する方向に互いに離隔した頂点３０１ａ，３０２ａを有する形状である。このため、シャッタ部材２０１〜２０４を上昇させる際は、下方のシャッタ部材の一方端部３０１が上方のシャッタ部材の他方端部３０２に接触することにより上方のシャッタ部材をねじりばね２６２の付勢力に抗して容易に回転させることができる。
【０１６７】
また、本実施の形態に係るパチスロ機１は、シャッタ部材２０１〜２０４の一方端部３０１及び他方端部３０２が互いに離隔した頂点３０１ａ，３０２ａに向けて傾斜した傾斜部３０１ｂ，３０２ｂを有するので、下方のシャッタ部材の一方端部３０１の傾斜部３０１ｂと上方のシャッタ部材の他方端部３０２の傾斜部３０２ｂとの接触によって上方のシャッタ部材を円滑に回転させることができる。
【０１６８】
また、本実施の形態に係るパチスロ機１は、シャッタ部材２０１〜２０４の側方に設けられた光照射装置４００から光がシャッタ部材２０１〜２０４に照射される。また、シャッタ部材２０１〜２０４の裏面２０１ｂ〜２０４ｂの装飾の施された箇所には、照射された光をパチスロ機１の前面側に向かって反射させる凹凸５０１が形成されている。これにより、限られたスペースのなかで、可動役物としてのシャッタ部材２０１〜２０４に光を照射できるとともにその反射光を遊技者に認識させることができる。
【０１６９】
また、凹凸５０１による光の反射によって装飾の施された箇所が発光しているかのような感覚を遊技者に与えることができるため、シャッタ部材自体に発光部を設ける必要がなく、部品コスト及び製造コストを削減することができる。
【０１７０】
また、シャッタ部材２０１〜２０４の装飾を際立たせるためには、装飾の施された箇所のみに凹凸５０１を形成すればよいので、装飾のデザイン変更も容易となる。
【０１７１】
本実施の形態に係るパチスロ機１は、シャッタ部材２０１〜２０４の裏面２０１ｂ〜２０４ｂの凹凸５０１が、照射された光をパチスロ機１の前面側に向かって反射可能な傾斜面５０１ａを有するので、光照射装置４００から照射された光を確実にパチスロ機１の前面側に向かって反射させることができる。
【０１７２】
また、本実施の形態では、遊技機としてパチスロ機を用いた例について説明したが、これに限定されるものではなく、例えばパチンコ機等、その他各種の遊技機であってもよい。
【０１７３】
（付記１）
特許文献１に記載の遊技機にあっては、可動役物を照らすような光源等は設けられていない。このため、例えば周囲の照明が暗い遊技場等では、可動役物に施された装飾を認識しづらく、可動役物が可動していることに対して注意を惹きつけるという効果を十分に発揮することができなかった。
【０１７４】
また、上述したような不具合を解消するために、可動役物に遊技者側から光を照射して、その反射光を遊技者に視認させようとすると、可動役物よりもさらに遊技機の前面側に光源を設ける必要がある。ところが、スペースの限られたフロントドアでは、そうした光源を配置するスペースを確保することが困難であった。
【０１７５】
本発明は、上述のような事情に鑑みてなされたもので、限られたスペースのなかで、可動役物に光を照射できるとともにその反射光を遊技者に認識させることができる遊技機を提供することを目的とする。
【０１７６】
本発明に係る遊技機は、上記目的達成のため、複数の図柄が表示された複数のリール（３Ｌ，３Ｃ，３Ｒ）と、遊技者の操作に応じて前記複数のリールの回転を開始させる開始操作手段（スタートレバー１６）と、前記複数のリールに対応して設けられ、遊技者の操作に応じて対応する各リールの回転を停止させる停止操作手段（ストップボタン１７Ｌ，１７Ｃ，１７Ｒ）と、画像を表示する画像表示手段（液晶表示装置１１）と、前記画像表示手段よりも遊技機の前面側に設けられ、前記画像表示手段を遮蔽する遮蔽位置（図１９に示す位置）と前記画像表示手段を露出させるよう前記遮蔽位置よりも上方に設けられた露出位置（図１７に示す位置）との間で昇降可能な複数枚（例えば、４枚）の板状の可動役物としてシャッタ部材（２０１，２０２，２０３，２０４）を有するシャッタ装置（２００）と、を備え、前記シャッタ装置は、前記複数枚のシャッタ部材のうち、最下位のシャッタ部材（２０１）を昇降させる昇降手段（昇降ユニット２０６）と、前記最下位のシャッタ部材以外の他のシャッタ部材（２０２，２０３，２０４）を前記最下位のシャッタ部材に連動させて昇降するよう、前記最下位のシャッタ部材と前記他のシャッタ部材とを接続する接続手段（スライダ機構２１０）と、前記シャッタ部材に側方から光を照射する光照射手段（光照射装置４００）と、を有し、前記シャッタ部材は、一方の面（裏面２０１ｂ，２０２ｂ，２０３ｂ，２０４ｂ）の少なくとも一部に装飾（５００）が施され、前記装飾の施された箇所には、前記光照射手段から照射された光を遊技機の前面側に向かって反射させる凹凸（５０１）が形成されている構成を有する。
【０１７７】
この構成により、本発明に係る遊技機は、昇降可能な複数枚の板状のシャッタ部材を有するシャッタ装置を画像表示手段よりも遊技機の前面側に設ける。また、最下位のシャッタ部材は、昇降手段によって昇降される一方で、接続手段を介して最下位のシャッタ部材に接続された他のシャッタ部材は、最下位のシャッタ部材に連動させて昇降するようになっている。
【０１７８】
これにより、本発明に係る遊技機は、視覚的な演出として、画像表示手段による画像演出と、シャッタ部材の昇降による役物演出とを組み合わせることができる。したがって、本発明に係る遊技機は、意外性に富んだ視覚的な演出を行うことで遊技の興趣を向上させることができる。
【０１７９】
また、本発明に係る遊技機は、最下位のシャッタ部材を昇降させるだけで、全てのシャッタ部材を連動して昇降させることができる。このため、全てのシャッタ部材に対応した昇降手段を設ける必要がなく、簡素な構成でシャッタ装置を構成できる。
【０１８０】
また、本発明に係る遊技機は、シャッタ部材の側方に設けられた光照射手段から光がシャッタ部材に照射される。また、シャッタ部材の一方の面の装飾の施された箇所には、照射された光を遊技機の前面側に向かって反射させる凹凸が形成されている。これにより、限られたスペースのなかで、可動役物としてのシャッタ部材に光を照射できるとともにその反射光を遊技者に認識させることができる。
【０１８１】
また、凹凸による光の反射によって装飾の施された箇所が発光しているかのような感覚を遊技者に与えることができるため、シャッタ部材自体に発光部を設ける必要がなく、部品コスト及び製造コストを削減することができる。
【０１８２】
また、シャッタ部材の装飾を際立たせるためには、装飾の施された箇所のみに凹凸を形成すればよいので、装飾のデザイン変更も容易となる。
【０１８３】
また、本発明に係る遊技機において、前記凹凸は、前記光照射手段から照射された光を遊技機の前面側に向かって反射可能な傾斜面を有する。
【０１８４】
この構成により、本発明に係る遊技機は、シャッタ部材の装飾面の凹凸が、照射された光を遊技機の前面側に向かって反射可能な傾斜面を有するので、光照射手段から照射された光を確実に遊技機の前面側に向かって反射させることができる。
【０１８５】
本発明によれば、限られたスペースのなかで、可動役物に光を照射できるとともにその反射光を遊技者に認識させることができる遊技機を提供することができる。
【０１８６】
（付記２）
特許文献１に記載の可動役物は、液晶表示装置と連動して可動して始めて演出を実現できるため、当該演出を実行するために液晶表示装置も必須の構成となり装置が大掛かりで演出を実現するために必要なスペースも大きくなってしまう。
【０１８７】
本発明は、上述のような事情に鑑みてなされたもので、省スペースで、かつ部品点数も少なく低コストで演出を実行可能な遊技機を提供することを目的とする。
【０１８８】
本発明に係る遊技機は、上記目的達成のため、待機位置（露出位置）から所定の位置（例えば、遮蔽位置）に移動可能な第１の役物（シャッタ部材２０１）及び第２の役物（シャッタ部材２０２，２０３又は２０４）を有する遊技機であって、前記第１の役物を駆動する第１の駆動手段（昇降モータ２４０）を有し、前記第１の役物及び前記第２の役物を前記待機位置から前記所定の位置に移動させる移動機構（昇降ユニット２０６）と、前記第１の役物及び前記第２の役物を同時に回動させることが可能な第２の駆動手段（駆動モータ２３１）を有する回転機構（２３０）と、を備える構成を有する。
【０１８９】
この構成により、本発明に係る遊技機は、第１の役物を駆動することにより第１の役物及び第２の役物を待機位置から所定の位置に移動させる移動機構と、第１の役物及び第２の役物を同時に回動させる回転機構を備えるため、省スペースで、かつ部品点数も少なく低コストで演出を実行可能である。
【０１９０】
なお、本発明に係る遊技機において、前記第１の役物と前記第２の役物の端部には、夫々、前記回転機構による回動動作と連動する回転体（２６０）が設けられており、前記回転体は、前記所定の位置にある場合に前記回転機構の係合部（２３４）と係合可能であり、前記回転機構は、前記係合部に設けられたギヤ（ギヤ部２３４ｂ）と噛み合うように形成されたギヤ部（第２のギヤ部２３３ｃ）を有するラック部（２３３）を備え、前記ラック部を移動させることにより前記第１の役物と前記第２の役物の夫々に設けられた前記回転体を一斉に回転させる構成としてもよい。
【０１９１】
この構成により、本発明に係る遊技機は、ラック部を移動させることにより第１の役物と第２の役物が一斉に回転するため、省スペースで、かつ部品点数も少なく低コストで意外性に富んだ視覚的な演出を行うことができる。
【０１９２】
本発明によれば、省スペースで、かつ部品点数も少なく低コストで演出を実行可能な遊技機を提供することができる。
【符号の説明】
【０１９３】
１  パチスロ機（遊技機）
３Ｌ，３Ｃ，３Ｒ  リール
６  保護ガラス
７ａ  上部外装部材（外装部材）
９  ドア本体
１１  液晶表示装置（画像表示手段）
１６  スタートレバー（開始操作手段）
１７Ｌ，１７Ｃ，１７Ｒ  ストップボタン（停止操作手段）
７８  シャッタ制御基板
２００  シャッタ装置
２０１，２０２，２０３，２０４  シャッタ部材
２０１ａ，２０２ａ，２０３ａ，２０４ａ  表面
２０１ｂ，２０２ｂ，２０３ｂ，２０４ｂ  裏面（一方の面）
２０３Ａ  回転軸
２０６  昇降ユニット（昇降手段）
２１０  スライダ機構（接続手段、支持手段）
２１１  第１のスライダ
２１２  第２のスライダ
２１３  第３のスライダ
２１４  第４のスライダ
２３０  回転機構
２３１  駆動モータ（駆動部）
２３４  係合部材
２４０  昇降モータ
２６０  回転体
２６２  ねじりばね（付勢手段）
３０１  一方端部
３０１ｂ  傾斜部
３０２  他方端部
３０２ｂ  傾斜部
３０１ａ，３０２ａ  頂点
４００  光照射装置（光照射手段）
４０１，４０２，４０３，４０４  ＬＥＤ
５００  装飾
５０１  凹凸
５０１ａ  傾斜面
【図１】
2020078730.tif 000003
【図２】
2020078730.tif 000004
【図３】
2020078730.tif 000005
【図４】
2020078730.tif 000006
【図５】
2020078730.tif 000007
【図６】
2020078730.tif 000008
【図７】
2020078730.tif 000009
【図８】
2020078730.tif 000010
【図９】
2020078730.tif 000011
【図１０】
2020078730.tif 000012
【図１１】
2020078730.tif 000013
【図１２】
2020078730.tif 000014
【図１３】
2020078730.tif 000015
【図１４】
2020078730.tif 000016
【図１５】
2020078730.tif 000017
【図１６】
2020078730.tif 000018
【図１７】
2020078730.tif 000019
【図１８】
2020078730.tif 000020
【図１９】
2020078730.tif 000021
【図２０】
2020078730.tif 000022
【図２１】
2020078730.tif 000023
【図２２】
2020078730.tif 000024
【図２３】
2020078730.tif 000025
【図２４】
2020078730.tif 000026
【図２５】
2020078730.tif 000027
【図２６】
2020078730.tif 000028
【図２７】
2020078730.tif 000029
【図２８】
2020078730.tif 000030
【図２９】
2020078730.tif 000031
【図３０】
2020078730.tif 000032